(57)【要約】【課題】外部電源の供給が正常であるか否かを問わず、暗闇の中で照明を発生し、スイッチの位置を表示できる、照明機能を備えたボタンスイッチの提供。【解決手段】本考案の照明機能を備えたボタンスイッチは、主に中央区域にパネルを備えたメインフレームと、前記パネルとメインフレーム間に連結され設置された回路板と、前記メインフレームの表側に相対して結合された透明カバーを含み、前記パネル上に少なくとも１つのスイッチを組み込むことができる設置部が設けられ、前記回路板は光源センサにより外界の光線を検知して前記回路板周辺に設置された少なくとも１つの発光部材を駆動し、前記透明カバーは前記メインフレームの表側に遮蔽を形成すると共に、前記スイッチが対応して取り付けられる。【選択図】図２
0003130661.tif 000002
【実用新案登録請求の範囲】
【請求項１】
メインフレームと、回路板と、透明カバーを少なくとも含み、そのうち、前記メインフレームは中央区域にパネルが設けられ、前記パネル上に少なくとも１つのスイッチを取り付けるための設置部が形成され、前記回路板は前記パネルとメインフレームの間に連結されて設置され、光源センサにより外界の光線を検知し、前記回路板周辺に設置された少なくとも１つの発光部材を駆動し、前記透明カバーは前記メインフレームの表側に対応して結合されて遮蔽を形成し、且つ、前記スイッチが対応して取り付けられることを特徴とする照明機能を備えたボタンスイッチ。
【請求項２】
前記回路板がさらに第二給電ユニットに接続され、外部電源の供給が停止したとき、前記発光ユニットに電力を供給することを特徴とする請求項１に記載の照明機能を備えたボタンスイッチ。
【請求項３】
前記第二給電ユニットが、電池挿入スロットと電池を結合して成ることを特徴とする請求項２に記載の照明機能を備えたボタンスイッチ。
【請求項４】
前記メインフレーム内部周縁に内側に向かって傾斜した状態に延伸した反射面を設けたことを特徴とする請求項１に記載の照明機能を備えたボタンスイッチ。
【請求項５】
前記メインフレームの周辺に少なくとも１つの位置決め部を設け、前記透明カバーに少なくとも１つの固定部を設置し、前記位置決め部に対応させて前記透明カバーを前記メインフレームの表側上に結合して固定し、遮蔽を形成することを特徴とする請求項１に記載の照明機能を備えたボタンスイッチ。
【請求項６】
前記回路板上に制動スイッチが設置され、前記発光部材の電力供給を強制的にオフにできることを特徴とする請求項１に記載の照明機能を備えたボタンスイッチ。
【請求項７】
前記透明カバーの表面に区画エリアを設け、光線の屈折角度を変化させ発光効果を強化することを特徴とする請求項１に記載の照明機能を備えたボタンスイッチ。
【考案の詳細な説明】
【技術分野】
【０００１】
本考案は照明機能を備えたボタンスイッチに関し、詳細には、外部電源の供給が正常であるか否かを問わず、暗闇の中で照明を発生しスイッチの位置を表示する機能を備えたスイッチに関する。
【背景技術】
【０００２】
従来のボタンスイッチ及びそのパネルの構造は、図１に示すように、少なくとも１つのボタンスイッチ５１をスイッチ支持部５２上の予め定めた位置に嵌設し、且つ、前記スイッチ支持部4２を壁面上の接線ボックス外側に固定し、中央に開口部５３１を備えたスイッチパネル５３を前記スイッチ支持部５２上に設置し、これにより前記ボタンスイッチ５１を外側に露出し、同時に前記ボタンスイッチ５１の周囲を遮蔽する。光線が不足する環境または暗闇の中で前記ボタンスイッチ５１の位置を分かりやすくするため、比較的優れたボタンスイッチの構造においては、前記ボタンスイッチ５１上に別途表示光源５１１を設け、ボタンスイッチ５１が電源を切断しているときに小さな光線を発し、使用者が光線の不足する環境または暗闇の中でも前記ボタンスイッチ５１の位置を判別し見つけやすくしている。
【０００３】
しかしながら、上述の従来のボタンスイッチ及びそのパネルの構造は、実際の使用上前記表示光源５１１の光線は前記ボタンスイッチの位置を示すことができるのみであり、スイッチ周辺の全体の形態を表示することはできず、使用者は光線が不足する環境や暗闇の中で前記ボタンスイッチ５１及びスイッチパネル５３を手さぐりしなければならないため、スイッチパネル５３周囲の壁面が触れられて汚れてしまうことがよくあり、視覚的美観に影響する。このほか、従来のボタンスイッチはその機能が電源のスイッチ切換え機能のみに限られ、その他付加的機能はなく、製品の競争力を向上しにくい。
【０００４】
従来のボタンスイッチ及びそのパネルの構造には上述のような欠点があることに鑑みて、本考案はこれら欠点を改善すべく生まれたものである。
【考案の開示】
【考案が解決しようとする課題】
【０００５】
本考案の主な目的は、外部電源の供給が正常であるか否かを問わず、暗闇の中で照明を発生し、スイッチの位置を表示できる、照明機能を備えたボタンスイッチを提供することにある。
【課題を解決するための手段】
【０００６】
本考案の照明機能を備えたボタンスイッチは、主に中央区域にパネルを備えたメインフレームと、前記パネルとメインフレーム間に連結され設置された回路板と、前記メインフレームの表側に相対して結合された透明カバーを含み、前記パネル上に少なくとも１つのスイッチを組み込むことができる設置部を設け、前記回路板は光源センサを介し外界の光線を検知し、前記回路板周辺に設置された少なくとも１つの発光部材を駆動し、前記透明カバーは前記メインフレームの表側に遮蔽を形成すると共に、前記スイッチが対応して取り付けられ、そのうち、前記透明カバーの表面に区画エリアを設け、この区画エリアにより光線の屈折角度を変化させて発光ユニットのスイッチ位置を表示する作用を強化することができ、さらに、前記回路板に第二給電ユニットを連結して設け、電力の中断または停電や災害訓練、火災発生などの緊急状況の発生時一般の市内電源が正常に給電できない場合に発光ユニットが必要な電力を供給し、使用者に対して緊急照明及び位置表示の作用を提供することができる。
【考案を実施するための最良の形態】
【０００７】
本考案の詳細な構造、応用原理、作用、効果について完全な理解を促すため、以下、図面に基づき詳細に説明する。
【０００８】
図２から図４に本考案の構造を示す立体分解図、組み立て後の状態を示す立体斜視図及び側面断面図をそれぞれ示す。各図に示すように、本考案は、中央区域にパネル１１を備えたメインフレーム１と、前記パネル１１とメインフレーム１の間に連結され設置された回路板２と、前記メインフレーム１表側に結合された透明カバー４を含む。前記パネル１１は複数の支持部１１１によりメインフレーム１内部周縁の内側に向かって傾斜した状態に延伸された反射面１３と接続されて支持され、前記パネル１１の表面がメインフレーム１内に浮き上がった状態を成し、その上に貫通孔の形態を呈する設置部１２が設けられ、この設置部１２に少なくとも１つのスイッチ３及びこのスイッチ３上に枢着されたボタン３１を相対して取り付けることができる。前記回路板２はその形態が前記設置部１２とパネル１１周縁間に対応する口の字形の板片であり、光源センサ２２により外界の光線を検知した後、前記回路板２周辺に設置された少なくとも１つの発光部材２１を駆動する。前記透明カバー４は少なくとも１つの固定部４２とメインフレーム１周辺の少なくとも１つの位置決め部１５を対応させることで前記メインフレーム１表側に結合されて遮蔽を形成し、且つ、前記スイッチ３が対応して取り付けられる。
【０００９】
そのうち、前記回路板２周縁に設置された発光ユニット２１は、パネル１１と反射面１３間に形成された間隙１１２から光線を発射することができ、メインフレーム１内部周縁に形成された内側に傾斜した状態に延伸された反射面１３を利用して外部に向かって射出される明るい光源を生むことができる。派生させた実施例においては、前記透明カバー４の表面に透光表面処理を施した区画エリア４１を設置し、プリズム形カット、波紋形カット、魚眼形態処理、表面フロスト処理等、光線の屈折角度を変化させることができる特殊な屈折面を形成し、これによりスイッチ位置の表示の強化と全体の視覚的美感の向上作用を持たせることができる。
【００１０】
最良とする実施例においては、前記回路板２に制動スイッチ２３を設置する。前記制動スイッチ２３はパネル１１上の貫通孔１１３と透明カバー４上の穿通孔４３に穿通されて設置され、カバー表面上に露出された状態を呈し、発光ユニット２１の電力供給のオン/オフの制御に用いられる。これにより、夜間の睡眠時、映画館での映画放映時等の光線による干渉を受けない完全な暗闇が必要なときなど、使用者がランプ表示を必要としない状況下では、この制動スイッチ２３を操作することで強制的に前記ボタンスイッチパネルのランプ表示機能をオフにすることができる。
【００１１】
上述の構造に基づき、採用する実施例においては、更に少なくとも１つの電池挿入スロットを設け、関連の電池を収容し、共同で第二給電ユニット１４を形成する。そのうち、前記少なくとも１つの電池挿入スロットはパネル１１の設置部１２の周辺表面区域に設置され、使用者による電池交換に便利な全体の形態を備えているものとする。
【００１２】
図５に示すように、本考案の最良の実施例において、前記設置部１２には複数のスイッチ３または電源コンセント６を結合することができ、そのうち、透明カバー４の設置部１２に隣接する表面に必要に応じて区画エリア４１を設け、パネル１１上に位置する第二給電ユニット１４を遮蔽すると同時に、ボタンスイッチパネル全体の美感向上作用を形成することができる。さらに、前記スイッチボタンパネルは使用者に判別しやすくし、壁面の汚れを防ぐ効果のほか、前記透明カバー４を製造する過程において、汚れがつきにくい表面材質を採用し、普段の使用後の定期的なお手入れをより容易にすると共に、製品全体の実質的効果と有益性、競争力を高めることができる。
【００１３】
図６に示すように、本考案は暗闇の中ではっきりとボタンスイッチ位置を示す効果を備えている。このほか、電力の中断や停電、災害訓練、火災発生などの緊急状況において、一般の市内電源が正常に給電できないとき、前記第二給電ユニット１４により発光ユニット２１の電力を供給し、緊急照明を提供すると共に、避難方向指示の作用を形成することができる。
【００１４】
上述のように、本考案は使用者の正常な使用状況下で暗闇の中でもはっきりと使用者にスイッチボタンの所在位置を示す作用があり、且つ、メインフレーム１外部に被せられた透明カバー４により、光線の強化と手入れを容易にする効果を提供するさらに、電力の中断が発生した状況において、予備の電力を提供し照明と指示の実用的機能を維持することができ、従来のボタンスイッチパネルがスイッチ電源の作用しか備えていない形態とは異なり、非常に進歩的である。
【図面の簡単な説明】
【００１５】
【図１】従来のボタンスイッチ及びそのパネルの立体外観図である。
【図２】本考案の構造を示す立体分解図である。
【図３】本考案の組み立てた後の全体を示す立体斜視図である。
【図４】本考案の側面断面図である。
【図５】本考案の実施例の立体斜視図である。
【図６】本考案の暗闇の中または停電時の実施状態を示す立体図である。
【符号の説明】
【００１６】
１  メインフレーム
１１  パネル
１１１  支持部
１１２  間隙
１１３  貫通孔
１２  設置部
１３  反射面
１４  第二給電ユニット
１５  位置決め部
２  回路板
２１  発光部材
２２  光源センサ
２３  制動スイッチ
３  スイッチ
３１  ボタン
４  透明カバー
４１  区画エリア
４２  固定部
４３  穿通孔
５１  ボタンスイッチ
５１１  表示光源
５２  スイッチ支持部
５３  スイッチパネル
５３１  開口部
６  電源コンセント
【図１】
0003130661.tif 000003
【図２】
0003130661.tif 000004
【図３】
0003130661.tif 000005
【図４】
0003130661.tif 000006
【図５】
0003130661.tif 000007
【図６】
0003130661.tif 000008